(57)【要約】【課題】冷却対象の防塵性を高め、冷却ファンの容易な交換が可能なプロジェクターを提供する。【解決手段】プロジェクターは、循環冷却装置５と、循環冷却装置５の外側に配置され、プロジェクターを制御する制御部１０と、循環冷却装置５および制御部１０を収納し、外装を構成する外装筐体と、を備える。循環冷却装置５は、密閉筐体内に配置され、冷却気体を冷却対象に送風する冷却ファン５３と、冷却対象を冷却した気体の熱を吸熱する吸熱部５５と、密閉筐体とで密閉空間を形成し、冷却ファン５３と制御部１０との電気的接続を中継する中継部８と、を備え、中継部８は、密閉空間側となる内面に冷却ファン５３と電気的に接続される接続部材、および密閉空間側とは反対側となる外面に制御部１０と電気的に接続される接続部材を有する両面基板を備える。【選択図】図３
2020077003.tif 000002
【特許請求の範囲】
【請求項１】
光源および光変調装置を備え、画像を投写するプロジェクターであって、
冷却対象を内部に収納する密閉筐体を有し、前記密閉筐体内に冷却気体を循環させることにより前記冷却対象を冷却する循環冷却装置と、
前記循環冷却装置の外側に配置され、当該プロジェクターを制御する制御部と、
前記循環冷却装置および前記制御部を収納し、外装を構成する外装筐体と、を備え、
前記循環冷却装置は、
前記密閉筐体内に配置され、冷却気体を前記冷却対象に送風する冷却ファンと、
前記冷却対象を冷却した気体の熱を吸熱する吸熱部と、
前記密閉筐体とで密閉空間を形成し、前記冷却ファンと前記制御部との電気的接続を中継する中継部と、を備え、
前記中継部は、前記密閉空間側となる内面に前記冷却ファンと電気的に接続される接続部材、および前記密閉空間側とは反対側となる外面に前記制御部と電気的に接続される接続部材を有する両面基板を備えることを特徴とするプロジェクター。
【請求項２】
請求項１に記載のプロジェクターであって、
前記中継部は、前記両面基板の端面を覆い、前記密閉筐体に密着して配置される弾性部材を備えることを特徴とするプロジェクター。
【請求項３】
請求項１または請求項２に記載のプロジェクターであって、
前記循環冷却装置は、前記密閉空間に配置され、前記吸熱部によって吸熱された冷却気体を前記第２収納部内に循環させる循環ファンをさらに備え、
前記両面基板は、前記内面に前記循環ファンと電気的に接続される接続部材を有し、前記循環ファンと前記制御部との電気的接続を中継することを特徴とするプロジェクター。
【請求項４】
請求項１〜請求項３のいずれか一項に記載のプロジェクターであって、
前記密閉空間の外側に配置される電子部品を備え、
前記両面基板は、前記外面に前記電子部品と電気的に接続される接続部材を有し、前記制御部と前記電子部品とを電気的に中継することを特徴とするプロジェクター。
【請求項５】
請求項１〜請求項４のいずれか一項に記載のプロジェクターであって、
前記密閉筐体は、前記冷却対象を収納する第１収納部と、前記冷却ファンを収納し、前記中継部により閉塞される開口部を有する第２収納部と、で構成されることを特徴とするプロジェクター。
【請求項６】
請求項５に記載のプロジェクターであって、
前記第２収納部は、前記冷却ファンが取り付けられる取付側筐体、および前記取付側筐体とで前記冷却ファンを収納し、前記取付側筐体に着脱可能に取り付けられるカバー側筐体、を備え、
前記中継部は、前記取付側筐体と前記カバー側筐体とに挟持されて前記第２収納部に配置されることを特徴とするプロジェクター。
【請求項７】
請求項６に記載のプロジェクターであって、
前記外装筐体は、内部の一部を露出させる露出用開口部、および前記露出用開口部を閉塞する蓋部材を有し、
前記第２収納部は、前記蓋部材が取り外されることで、前記カバー側筐体が前記露出用開口部から露出するように配置されることを特徴とするプロジェクター。
【請求項８】
請求項６に記載のプロジェクターであって、
前記外装筐体は、内部の一部を露出させる露出用開口部、および前記カバー側筐体と一体化され、前記露出用開口部を閉塞する蓋体を有し、
前記第２収納部は、前記取付側筐体の内部が前記露出用開口部から露出するように配置されていることを特徴とするプロジェクター。
【請求項９】
請求項１〜請求項８のいずれか一項に記載のプロジェクターであって、
前記外装筐体は、当該プロジェクターが載置される載置面に対向する底面を有し、
前記中継部は、前記両面基板が前記底面に対して起立するように配置されることを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調した光を投写する投写光学装置とを備え、スクリーン等の投写面に画像を投写するプロジェクターが知られている。近年、光源の高輝度化と共に、コンサート等が行われる広い会場で使用しても塵埃等による画質の劣化を抑制できるプロジェクターが求められている。そこで、光変調装置等の光学素子を防塵化して効率良く冷却するためのプロジェクターが提案されている（例えば、特許文献１参照）。
【０００３】
特許文献１に記載のプロジェクターは、密閉構造を構成する空冷ユニット、および制御基板を備え、空冷ユニットは、複数のダクト部材、密閉構造内に配置される循環ファン、および熱交換器を有している。そして、冷却対象としての光変調装置は、密閉構造内に配置され、循環ファンにて循環された密閉構造内の空気によって冷却される。
【先行技術文献】
【特許文献】
【０００４】
【特許文献１】特開２００９−１３３９８８号公報
【発明の概要】
【発明が解決しようとする課題】
【０００５】
特許文献１には開示されていないが、循環ファンは制御基板によって制御されると考えられる。このため、循環ファンと制御基板とを電気的に接続するために、密閉構造には、循環ファンのケーブルが挿通される挿通孔が設けられ、さらに挿通孔とケーブルとの隙間を埋めるクッション材等の部材が設けられていると考えられる。しかしながら、このような技術では、ケーブルの配線処理やクッション材等の部材を配置する作業が煩雑化することが考えられる。また、循環ファンの修理や交換を行うために、制御基板が露出するまでプロジェクターを分解し、循環ファンのケーブルを制御基板から取り外す必要がある。すなわち、特許文献１に記載のプロジェクターでは、空冷ユニットの製造や、密閉構造内に配置される循環ファン等の電子部品の修理や交換の作業が煩雑化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源および光変調装置を備え、画像を投写するプロジェクターであって、冷却対象を内部に収納する密閉筐体を有し、前記密閉筐体内に冷却気体を循環させることにより前記冷却対象を冷却する循環冷却装置と、前記循環冷却装置の外側に配置され、当該プロジェクターを制御する制御部と、前記循環冷却装置および前記制御部を収納し、外装を構成する外装筐体と、を備え、前記循環冷却装置は、前記密閉筐体内に配置され、冷却気体を前記冷却対象に送風する冷却ファンと、前記冷却対象を冷却した気体の熱を吸熱する吸熱部と、前記密閉筐体とで密閉空間を形成し、前記冷却ファンと前記制御部との電気的接続を中継する中継部と、を備え、前記中継部は、前記密閉空間側となる内面に前記冷却ファンと電気的に接続される接続部材、および前記密閉空間側とは反対側となる外面に前記制御部と電気的に接続される接続部材を有する両面基板を備えることを特徴とする。
【０００８】
この構成によれば、循環冷却装置は、密閉空間に配置される冷却ファンと密閉空間の外部に配置された制御部とを電気的に中継する中継部を備え、中継部は、密閉筐体とで密閉空間を形成する。そして、冷却対象は、冷却ファンと共にこの密閉空間に配置されて冷却される。すなわち、循環冷却装置は、中継部を利用して密閉空間を形成する構成なので、ケーブルが密閉空間の内側から外側に亘って配線される構成に比べ、ケーブルの挿通孔とケーブルとの隙間を埋める部材が不要になることや、ケーブルの配線処理等の簡素化が可能となる。よって、プロジェクターは、容易な製造が可能な循環冷却装置を備え、外部の塵埃が密閉空間内の冷却対象（例えば、光学素子等）に付着することを防止して冷却対象を冷却することが可能となる。
また、中継部は、両面基板の内面、外面に、上述した接続部材が設けられて制御部と接続されている。これによって、制御部が露出するまでプロジェクターを分解することなく、内面の接続部材が露出するように分解することで、密閉空間に配置された冷却ファンを容易に取り出すことができる。よって、冷却ファンの修理や交換作業の簡素化が可能となる。
【０００９】
［適用例２］上記適用例に係るプロジェクターにおいて、前記中継部は、前記両面基板の端面を覆い、前記密閉筐体に密着して配置される弾性部材を備えることが好ましい。
【００１０】
この構成によれば、両面基板が製造時の切断加工等により端面からゴミが発生しやすくなるように加工された場合であっても、弾性部材がこの端面を覆うので、中継部からのゴミの発生を防止することが可能となる。また、弾性部材が密閉筐体に密着するので、密閉空間を確実に形成することが可能となる。
【００１１】
［適用例３］上記適用例に係るプロジェクターにおいて、前記循環冷却装置は、前記密閉空間に配置され、前記吸熱部によって吸熱された冷却気体を前記第２収納部内に循環させる循環ファンをさらに備え、前記両面基板は、前記内面に前記循環ファンと電気的に接続される接続部材を有し、前記循環ファンと前記制御部との電気的接続を中継することが好ましい。
【００１２】
この構成によれば、循環冷却装置は、上述した循環ファンをさらに備えるので、密閉空間内に積極的に冷却気体が供給され、冷却対象のより効率的な冷却が可能となる。そして、この循環ファンにおいても中継部を介して制御部に接続されている。よって、密閉空間内に冷却ファンおよび循環ファンが配置される構成であっても、密閉空間を構成しつつ、制御部から冷却ファンおよび循環ファンを制御する構成が可能となる。また、冷却ファンと同様に循環ファンの修理や交換を容易に行うことが可能となる。
【００１３】
［適用例４］上記適用例に係るプロジェクターにおいて、前記密閉空間の外側に配置される電子部品を備え、前記両面基板は、前記外面に前記電子部品と電気的に接続される接続部材を有し、前記制御部と前記電子部品とを電気的に中継することが好ましい。
【００１４】
この構成によれば、両面基板を利用して、密閉空間の外側に配置された電子部品を制御部と電気的に接続することができる。よって、密閉空間の外側に配置される電子部品においても、修理や交換を容易に行うことが可能となる。
【００１５】
［適用例５］上記適用例に係るプロジェクターにおいて、前記密閉筐体は、前記冷却対象を収納する第１収納部と、前記冷却ファンを収納し、前記中継部により閉塞される開口部を有する第２収納部と、で構成されることが好ましい。
【００１６】
この構成によれば、冷却対象と冷却ファンとが離れた位置に配置されるように構成されても、密閉筐体の大型化を抑制して密閉筐体を容易に形成することが可能となる。よって、冷却ファンの配置位置の自由度を高めることや、大型化を抑制して循環冷却装置を構成することが可能となる。
【００１７】
［適用例６］上記適用例に係るプロジェクターにおいて、前記第２収納部は、前記冷却ファンが取り付けられる取付側筐体、および前記取付側筐体とで前記冷却ファンを収納し、前記取付側筐体に着脱可能に取り付けられるカバー側筐体、を備え、前記中継部は、前記取付側筐体と前記カバー側筐体とに挟持されて前記第２収納部に配置されることが好ましい。
【００１８】
この構成によれば、ネジ等の固定部材を用いることなく、中継部を所定の位置に配置することができる。よって、部品点数の増加の抑制や、中継部および第２収納部の小型化が可能となる。
【００１９】
［適用例７］上記適用例に係るプロジェクターにおいて、前記外装筐体は、内部の一部を露出させる露出用開口部、および前記露出用開口部を閉塞する蓋部材を有し、前記第２収納部は、前記蓋部材が取り外されることで、前記カバー側筐体が前記露出用開口部から露出するように配置されることが好ましい。
【００２０】
この構成によれば、蓋部材が取り外されると、カバー側筐体が露出するので、ユーザーは、カバー側筐体を取り外すことで、冷却ファン、および両面基板の内面に配置される接続部材を露出させることができる。よって、冷却ファンの修理や交換作業のさらなる簡素化が可能となる。
【００２１】
［適用例８］上記適用例に係るプロジェクターにおいて、前記外装筐体は、内部の一部を露出させる露出用開口部、および前記カバー側筐体と一体化され、前記露出用開口部を閉塞する蓋体を有し、前記第２収納部は、前記取付側筐体の内部が前記露出用開口部から露出するように配置されていることが好ましい。
【００２２】
この構成によれば、部品点数を削減して第２収納部の形成および中継部の固定が可能となる。また、ユーザーは、蓋体を取り外すことで、取付側筐体内に配置される冷却ファンや両面基板の内面に配置される接続部材を露出させることができるので、冷却ファン等の修理や交換作業のさらなる簡素化が可能となる。
【００２３】
［適用例９］上記適用例に係るプロジェクターにおいて、前記外装筐体は、当該プロジェクターが載置される載置面に対向する底面を有し、前記中継部は、前記両面基板が前記底面に対して起立するように配置されることが好ましい。
【００２４】
この構成によれば、両面基板が外装筐体の底面に対して起立するように配置されるので、第２収納部のこの底面に沿う方向の大型化を抑制できると共に、中継部を配置する位置の自由度が向上する。
【図面の簡単な説明】
【００２５】
【図１】本実施形態のプロジェクターの主な構成を示す模式図。
【図２】本実施形態のプロジェクターの外観を模式的に示す斜視図。
【図３】本実施形態の循環冷却装置および放熱装置の主な構成を示すブロック図。
【図４】本実施形態の第２収納部を下方斜めから見た斜視図。
【図５】本実施形態の第２収納部を下方斜めから見た分解斜視図。
【図６】本実施形態の第２収納部を上方斜めから見た分解斜視図。
【図７】本実施形態のカバー側筐体を取り外した状態の第２収納部および第２収納部内に配置される部材を示す斜視図。
【図８】本実施形態の中継部の斜視図。
【図９】本実施形態の中継部近傍の第２収納部の断面図。
【図１０】本実施形態のプロジェクターを底面側から見た斜視図であり、蓋部材を取り外した状態の図。
【図１１】本実施形態のプロジェクターを底面側から見た斜視図であり、蓋部材およびカバー側筐体を取り外した状態の図。
【図１２】変形例のプロジェクターを説明するための図。
【図１３】変形例のプロジェクターにおける蓋体の斜視図。
【発明を実施するための形態】
【００２６】
以下、本実施形態に係るプロジェクターについて、図面を参照して説明する。
本実施形態のプロジェクターは、光源から射出された光を画像情報に応じて変調し、変調した光をスクリーン等の投写面に拡大投写する。また、本実施形態のプロジェクターは、机上等に載置され、投写面に横長の画像を投写する横置き姿勢、および投写面に対向する側から見て、横置き姿勢から９０°回転され、投写面に縦長の画像を投写する縦置き姿勢が可能に構成されている。
【００２７】
〔プロジェクターの主な構成〕
図１は、本実施形態のプロジェクター１の主な構成を示す模式図である。図２は、プロジェクター１の外観を模式的に示す斜視図である。
プロジェクター１は、図１、図２に示すように、外装を構成する外装筐体２、制御部１０、照明装置３１を有する光学ユニット３、および冷却装置４を備えている。なお、図示は省略するが、外装筐体２の内部には、さらに、照明装置３１や制御部１０に電力を供給する電源装置等が配置されている。また、以下では、説明の便宜上、横置き姿勢のプロジェクター１において、投写面側を＋Ｙ側（前側）、投写面に対向する側からみた右側を＋Ｘ側、鉛直方向上側を＋Ｚ側として記載する。
【００２８】
外装筐体２は、詳細な説明は省略するが、複数の部材が組み合わされて構成され、制御部１０、光学ユニット３、および冷却装置４等を収納する。外装筐体２は、図２に示すように、横置き姿勢において、上側となる上面２Ｕ、プロジェクター１が載置される載置面に対向する底面２Ｄ、前側となる前面２Ｆ、後側となる後面２Ｂ、および左右の側面２Ｌ，２Ｒを有している。そして、上面２Ｕには、プロジェクター１が持ち運ばれる際等にユーザーに把持される一対のハンドル２１が設けられ、底面２Ｄには、載置面に当接し、プロジェクター１を支持する脚部２２、および蓋部材２３（いずれも図１０参照）が設けられている。また、外装筐体２には、図示は省略するが、外気を取り込む吸気口や、内部の暖まった空気が排出される排気口等が設けられている。
【００２９】
制御部１０は、ＣＰＵ（Central Processing Unit）やＲＯＭ（Read Only Memory）、ＲＡＭ（Random Access Memory）等の回路素子が実装された回路基板を有し、光学ユニット３および冷却装置４の外側に配置される。制御部１０は、コンピューターとして機能するものであり、プロジェクター１の動作の制御、例えば、画像の投写に関わる制御や冷却装置４の動作に関わる制御等を行う。
【００３０】
光学ユニット３は、照明装置３１から射出された光を制御部１０による制御の下、画像情報に応じて変調し、変調した光を投写面に投写する。
光学ユニット３は、図１に示すように、照明装置３１に加え、インテグレーター照明光学系３２、色分離光学系３３、光変調装置３４１を有する光学装置３４、投写光学装置としての投写レンズ３５、およびこれら各部材を収納する光学部品用筐体３６を備える。
【００３１】
照明装置３１は、互いに対向して配置される一対の光源装置３１Ａ，３１Ｂ、および一対の光源装置３１Ａ，３１Ｂの間に配置される反射ミラー３１Ｃを備える。
一対の光源装置３１Ａ，３１Ｂは、同様の構成を有し、放電型の光源３１１、リフレクター３１２、およびこれらを収納する光源用筐体３１３をそれぞれ備える。そして、一対の光源装置３１Ａ，３１Ｂは、反射ミラー３１Ｃに向けて光を射出する。
反射ミラー３１Ｃは、光源装置３１Ａ，３１Ｂから射出された光を同一方向（＋Ｙ方向）に反射し、インテグレーター照明光学系３２に入射させる。
【００３２】
インテグレーター照明光学系３２は、ＵＶフィルター３２１、第１レンズアレイ３２２、第２レンズアレイ３２４、偏光変換素子３２５および重畳レンズ３２６を備える。第１レンズアレイ３２２、第２レンズアレイ３２４、および重畳レンズ３２６は、光源装置３１Ａ，３１Ｂから射出された光を光変調装置３４１の表面で略均一化させる。偏光変換素子３２５は、第２レンズアレイ３２４から射出されたランダム光を光変調装置３４１で利用可能な第１の直線偏光光に揃える。
【００３３】
色分離光学系３３は、ダイクロイックミラー３３１，３３２、反射ミラー３３３〜３３６、およびリレーレンズ３３７を備え、インテグレーター照明光学系３２から射出された光を赤色光（Ｒ光）、緑色光（Ｇ光）、および青色光（Ｂ光）に分離し、光学装置３４に導く。
【００３４】
光学装置３４は、色光毎に設けられたフィールドレンズ３４０、光変調装置３４１、および色合成光学装置としてのクロスダイクロイックプリズム３４４を備える。Ｒ光、Ｇ光、Ｂ光用の光変調装置３４１を、それぞれ３４１Ｒ，３４１Ｇ，３４１Ｂとする。
【００３５】
各光変調装置３４１は、透過型の液晶パネル、液晶パネルの光入射側、光射出側にそれぞれ配置された入射側偏光板、射出側偏光板を備え、各色光を画像情報に応じて変調する。クロスダイクロイックプリズム３４４は、光変調装置３４１Ｒ，３４１Ｂにて変調されたＲ光およびＢ光を反射し、光変調装置３４１Ｇにて変調されたＧ光を透過して、３色の変調された光を合成する。
【００３６】
投写レンズ３５は、クロスダイクロイックプリズム３４４側に配置されるレンズ３５１を含む複数のレンズを有して構成され、クロスダイクロイックプリズム３４４にて合成された光を投写面上に拡大投写する。
【００３７】
冷却装置４は、循環冷却装置５、放熱装置６（図３参照）、および送風ファン４１，４２やダクト部材４１１（図５参照）等を備える。
循環冷却装置５は、密閉空間１００（図３参照）を有し、この密閉空間１００に冷却気体（本実施形態では冷却空気）を循環させ、密閉空間１００に配置される冷却対象としての光変調装置３４１を冷却するように構成されている。なお、冷却気体として用いる気体は、空気に限らず、ヘリウム等の気体であってもよい。
放熱装置６は、循環冷却装置５で発する熱を放熱するように構成されている。循環冷却装置５および放熱装置６について後で詳細に説明する。
【００３８】
送風ファン４１は、冷却空気を送風し、ダクト部材４１１は、送風ファン４１から送風された冷却空気を偏光変換素子３２５に導く。送風ファン４２は、図示しないダクト部材等を介して反射ミラー３１Ｃ等に冷却空気を送風する。なお、詳細な説明は省略するが、プロジェクター１内には、照明装置３１や電源装置等を冷却するためのファンや、このファンから送風された冷却空気を導くダクト部材等が配置されている。
【００３９】
〔循環冷却装置および放熱装置の構成〕
ここで循環冷却装置５および放熱装置６について詳細に説明する。
図３は、循環冷却装置５および放熱装置６の主な構成を示すブロック図である。
循環冷却装置５は、図３に示すように、第１収納部５１、第２収納部５２、冷却ファン５３、ダクト部材５４、吸熱部５５、循環ファン５６、温度検出部５７、および中継部８を備える。また、第１収納部５１および第２収納部５２は、密閉筐体を構成し、この密閉筐体は、中継部８とで密閉空間１００を形成する。密閉空間１００は、この密閉筐体外の空気が内部に流入しにくい密閉構造として構成されている。
【００４０】
第１収納部５１は、詳細な図は省略するが、図１に示すように、光学部品用筐体３６、フィールドレンズ３４０、および投写レンズ３５のレンズ３５１等を用いて構成され、図３に示すように、光学装置３４および吸熱部５５を収納する。なお、詳細な説明は省略するが、光変調装置３４１は、フレキシブル回路基板等で制御部１０と接続されており、光学部品用筐体３６には、このフレキシブル回路基板が挿通される挿通孔が設けられている。そして、フレキシブル回路基板の周囲には弾性部材等が配置され、フレキシブル回路基板と挿通孔との間に隙間が生じないように構成されている。すなわち、この弾性部材も第１収納部５１を構成する部材となる。
【００４１】
第２収納部５２は、後で詳細に説明するが、光学部品用筐体３６の下方に配置され（図１参照）、図３に示すように、冷却ファン５３、ダクト部材５４、循環ファン５６、温度検出部５７を収納する。第２収納部５２の内部は、循環ファン５６およびダクト部材５４を介して第１収納部５１の内部と連通している。
【００４２】
冷却ファン５３は、３つ設けられ（冷却ファン５３Ｒ，５３Ｇ，５３Ｂ）、第２収納部５２内に配置される。
冷却ファン５３Ｒ，５３Ｇ，５３Ｂは、羽根の回転中心軸に沿う方向から取り込んだ冷却空気を回転接線方向に吐出するシロッコファンであり、第２収納部５２内の冷却空気をダクト部材５４を介して、第１収納部５１内の３つの光変調装置３４１個別に送風する。具体的に、冷却ファン５３Ｒは、光変調装置３４１Ｒに冷却空気を送風し、冷却ファン５３Ｇは、光変調装置３４１Ｇに冷却空気を送風する。そして、冷却ファン５３Ｂは、光変調装置３４１Ｂに冷却空気を送風する。
【００４３】
ダクト部材５４は、内部に３つの流路を有し、冷却ファン５３Ｒ，５３Ｇ，５３Ｂから吐出される冷却空気を光変調装置３４１Ｒ，３４１Ｇ，３４１Ｂにそれぞれ導くように形成されている。
【００４４】
吸熱部５５は、放熱装置６の流通管６５に接続されており、光変調装置３４１を冷却した空気の熱を吸熱し、吸熱した熱を流通管６５内の液体に伝導させる。この液体としては、水やプロピレングリコール等を例示することができる。
循環ファン５６は、軸流ファンで２つ設けられており、吸熱部５５近傍の第２収納部５２内に配置される。循環ファン５６は、吸熱部５５によって吸熱された冷却空気を第２収納部５２内に循環させる。
【００４５】
温度検出部５７は、第２収納部５２内の温度を検出し、検出結果を制御部１０に出力する。制御部１０は、温度検出部５７の検出結果に基づいて、冷却ファン５３および循環ファン５６の羽根の回転速度を制御する。
【００４６】
中継部８は、後で詳細に説明するが、両面基板８１を有し、図３に示すように、第２収納部５２における密閉空間１００に配置される複数の電子部品（冷却ファン５３Ｒ，５３Ｇ，５３Ｂ、循環ファン５６１，５６２、および温度検出部５７）と制御部１０との電気的接続を中継する機能、および、第１収納部５１および第２収納部５２とで密閉空間１００を形成する機能を有している。
【００４７】
放熱装置６は、タンク６１、ポンプ６２、熱交換部６３、放熱用ファン６４、および複数の流通管６５を備える。
タンク６１は、流通管６５を介して吸熱部５５およびポンプ６２と接続されており、液体を貯留し、流通管６５で接続される環状の流路にこの液体を供給する。
ポンプ６２は、流通管６５を介してタンク６１および熱交換部６３と接続されており、環状の流路に沿って液体を循環させる。
【００４８】
熱交換部６３は、詳細な説明は省略するが、受熱部、熱電変換素子としてのペルチェ素子、およびヒートシンク等を備え、流通管６５を介してポンプ６２および吸熱部５５と接続されている。熱交換部６３は、吸熱部５５が吸熱し、流通管６５内の液体に伝導された熱を受熱部が受熱し、ペルチェ素子等を介してヒートシンクに伝導させる。
放熱用ファン６４は、熱交換部６３のヒートシンクに冷却空気を送風し、発熱したヒートシンクの熱を放熱させる。
【００４９】
〔第２収納部および第２収納部内の構成〕
ここで第２収納部５２および第２収納部５２内の構成について詳細に説明する。
図４は、第２収納部５２を下方斜めから見た斜視図である。図５は、第２収納部５２を下方斜めから見た分解斜視図である。図６は、第２収納部５２を上方斜めから見た分解斜視図である。
図４〜図６に示すように、第２収納部５２は、平面視矩形の箱状に形成されており、冷却ファン５３、循環ファン５６、温度検出部５７、送風ファン４１およびダクト部材４１１が取り付けられる取付側筐体５２Ａ、および取付側筐体５２Ａとでこれらの電子部品を収納するカバー側筐体５２Ｂを備える。
【００５０】
具体的に、第２収納部５２は、前述したように、光学部品用筐体３６（図１参照）の下方に配置されており、取付側筐体５２Ａは、Ｘ−Ｙ平面に略沿い、光学部品用筐体３６側となる上面部５２１（図６参照）、および上面部５２１の周縁からカバー側筐体５２Ｂに向かって突出する側面部５２２を有している。
また、−Ｙ側の側面部５２２は、図５に示すように、−Ｘ側端部近傍が＋Ｙ方向に屈曲するように形成された側面部５２２１を有しており、この側面部５２２１の−Ｙ側には、上面部５２１が延出して突出する部位、およびこの部位の周縁から立設する立設部を有する補助取付部５２７ａが形成されている。
【００５１】
カバー側筐体５２Ｂは、図５に示すように、上面部５２１に対向する底面部５２３、および底面部５２３の周縁から取付側筐体５２Ａに向かって突出する側面部５２４を有している。−Ｙ側の側面部５２４は、取付側筐体５２Ａの側面部５２２１に倣うように形成された側面部５２４１を有し、側面部５２４１の−Ｙ側には、中央に開口部５２７１ｂが形成され、取付側筐体５２Ａの補助取付部５２７ａの周縁に倣う形状を有する補助カバー部５２７ｂが形成されている。
【００５２】
取付側筐体５２Ａは、光学部品用筐体３６にネジ固定され、カバー側筐体５２Ｂは、ネジによって着脱可能に取付側筐体５２Ａに取り付けられる。
このように、第２収納部５２には、上面部５２１、底面部５２３、および側面部５２２，５２４が設けられ、これらの部位と中継部８で囲まれた領域が第２収納部５２における密閉空間１００として形成される。すなわち、補助取付部５２７ａおよび補助カバー部５２７ｂは、密閉空間１００の外側に形成されている。
【００５３】
また、カバー側筐体５２Ｂには、図５に示すように、−Ｙ側の側面部５２４に、矩形状の切欠き５２４２が形成され、図６に示すように、切欠き５２４２近傍の底面部５２３に一対の突起部５２３１が形成されている。切欠き５２４２は、第２収納部５２に設けられた開口部に相当する。一対の突起部５２３１は、中継部８を支持するための部位であり、詳細な形状は後述する。
【００５４】
２つの循環ファン５６は、図５に示すように、取付側筐体５２Ａの−Ｘ側端部近傍にＹ方向に沿って配置される（２つの循環ファン５６のうち、＋Ｙ側に配置される循環ファン５６を５６１、−Ｙ側に配置される循環ファン５６を５６２とする）。また、循環ファン５６１，５６２は、羽根の回転中心軸５６ｊがＺ方向に沿うように配置される。
【００５５】
取付側筐体５２Ａの上面部５２１には、図６に示すように、循環ファン５６１，５６２の羽根が露出する通気孔５２５が形成されており、この通気孔５２５の近傍には、吸熱部５５（図３参照）が配置される。循環ファン５６１，５６２は、この通気孔５２５から取り込んだ冷却空気を第２収納部５２内に循環させる。
また、取付側筐体５２Ａには、図６に示すように、周縁部が突出し、ダクト部材５４の一部が挿通される挿通孔５２６が形成されている。この挿通孔５２６は、光学装置３４（図１参照）の下方に位置するように形成されている。
【００５６】
冷却ファン５３Ｒ，５３Ｇ，５３Ｂは、前述したようにシロッコファンであり、図５に示すように、羽根が収納され、片側の側面に吸気口５３ｉが形成された円柱部５３１、および円柱部５３１から突出し、吐出口（図示省略）が形成された突出部５３２を有している。
冷却ファン５３Ｒ，５３Ｇ，５３Ｂは、循環ファン５６１，５６２の＋Ｘ方向に、循環ファン５６１，５６２から近い順に冷却ファン５３Ｂ、冷却ファン５３Ｇ、冷却ファン５３Ｒで配置される。
【００５７】
また、冷却ファン５３Ｒ，５３Ｇ，５３Ｂは、羽根の回転中心軸５３ｊがＺ方向に沿い、吸気口５３ｉがカバー側筐体５２Ｂ側（底面部５２３側）を向き、吐出口が＋Ｙ側を向いて配置される。すなわち、循環ファン５６１，５６２および冷却ファン５３Ｒ，５３Ｇ，５３Ｂは、それぞれの回転中心軸５６ｊ，５３ｊが同一方向に沿うように配置される。
【００５８】
送風ファン４１およびダクト部材４１１は、図５に示すように、補助取付部５２７ａに取り付けられる。
送風ファン４１は、両側に吸気口４１ｉを有するシロッコファンで、羽根の回転中心軸４１ｊがＺ方向に沿うように配置される。そして、補助取付部５２７ａには、＋Ｚ側の吸気口４１ｉに対向して開口部５２７１ａ（図６参照）が形成されている。なお、−Ｚ側の吸気口４１ｉには、補助カバー部５２７ｂの前述した開口部５２７１ｂから空気が流入する。
【００５９】
また、補助取付部５２７ａには、図６に示すように、周縁部が＋Ｚ方向に突出し、ダクト部材４１１に導かれた冷却空気が流出する流出口５２７２が形成されている。この流出口５２７２は、偏光変換素子３２５（図１参照）の下方に位置するように形成されている。
【００６０】
ダクト部材５４は、前述したように、冷却ファン５３Ｒ，５３Ｇ，５３Ｂから吐出される冷却空気を光変調装置３４１Ｒ，３４１Ｇ，３４１Ｂにそれぞれ導くように形成されている。具体的に、ダクト部材５４は、図５に示すように、冷却ファン５３Ｒから吐出された冷却空気を光変調装置３４１Ｒに導く流路形成部５４Ｒ、冷却ファン５３Ｇから吐出された冷却空気を光変調装置３４１Ｇに導く流路形成部５４Ｇ、および冷却ファン５３Ｂから吐出された冷却空気を光変調装置３４１Ｂに導く流路形成部５４Ｂを有している。
【００６１】
流路形成部５４Ｒ，５４Ｇ，５４Ｂそれぞれは、図５に示すように、冷却ファン５３Ｒ，５３Ｇ，５３Ｂそれぞれの吐出口から上面部５２１に沿って延出した後、図６に示すように、取付側筐体５２Ａの挿通孔５２６内に位置するように屈曲し、光変調装置３４１Ｒ，３４１Ｇ，３４１Ｂの下方に位置するように、＋Ｚに向かって延出している。
【００６２】
図７は、カバー側筐体５２Ｂを取り外した状態の第２収納部５２および第２収納部５２内に配置される部材を示す斜視図である。
第２収納部５２における密閉空間１００には、図７に示すように、循環ファン５６が循環させた冷却空気を冷却ファン５３Ｒ，５３Ｇ，５３Ｂそれぞれに導く流路７Ｒ，７Ｇ，７Ｂが設けられている。
【００６３】
流路７Ｒ，７Ｇ，７Ｂは、第２収納部５２内に設けられた仕切部によって第２収納部５２内が仕切られて形成されている。この仕切部としては、取付側筐体５２Ａに設けられた複数のリブ７１、カバー側筐体５２Ｂに設けられた複数のリブ７２（図６参照）、および冷却ファン５３Ｇ，５３Ｂの円柱部５３１が用いられている。
具体的に、図７に示すように、流路７Ｂは、循環ファン５６１の＋Ｘ側で、Ｙ方向における循環ファン５６１の略中央と、＋Ｙ側の側面部５２２，５２４（側面部５２４は図６参照）との間に流入口を有し、冷却ファン５３Ｂの吸気口５３ｉに向かって形成される。流路７Ｇは、流路７Ｂの−Ｙ側に位置し、循環ファン５６１，５６２の＋Ｘ側に流入口を有し、冷却ファン５３Ｇの吸気口５３ｉに向かって形成される。そして、流路７Ｒは、流路７Ｇの−Ｙ側に位置し、循環ファン５６２の＋Ｘ側に流入口を有し、冷却ファン５３Ｒの吸気口５３ｉに向かって形成される。
【００６４】
循環ファン５６が循環させた冷却空気は、流路７Ｒ，７Ｇ，７Ｂに導かれて冷却ファン５３Ｒ，５３Ｇ，５３Ｂに取り込まれ、ダクト部材５４を介して光変調装置３４１Ｒ，３４１Ｇ，３４１Ｂに送風される。そして、光変調装置３４１Ｒ，３４１Ｇ，３４１Ｂを冷却して暖まった空気は、前述したように、吸熱部５５によって吸熱され、放熱装置６によって放熱される。
【００６５】
温度検出部５７は、サーミスタ等によって構成され、図５に示すように、循環ファン５６２近傍の流路７Ｒ内に配置される。
このように、冷却ファン５３、循環ファン５６、および温度検出部５７は、第２収納部５２における密閉空間１００に収納される。そして、補助取付部５２７ａに取り付けられる送風ファン４１、および送風ファン４１の＋Ｘ側に配置される送風ファン４２は、密閉空間１００の外側に配置される電子部品となる。
【００６６】
ここで、中継部８について詳細に説明する。
図８は、中継部８の斜視図であり、（ａ）は密閉空間１００側から見た図、（ｂ）は密閉空間１００の外側から見た図である。
【００６７】
中継部８は、図８に示すように、平面視矩形状の両面基板８１、および両面基板８１の端面を覆う弾性部材８２を備える。
両面基板８１は、両面に配線パターンが形成された回路基板であり、密閉空間１００側となる内面８１１に接続部材としての複数のコネクター８１１Ｃｎが実装され、密閉空間１００側とは反対側となる外面８１２に接続部材としてのコネクター８１２Ｃｃおよび複数のコネクター８１２Ｃｆが実装されている。
【００６８】
複数のコネクター８１１Ｃｎは、第２収納部５２における密閉空間１００に配置される複数の電子部品（冷却ファン５３Ｒ，５３Ｇ，５３Ｂ、循環ファン５６１，５６２、および温度検出部５７）とそれぞれ接続されるコネクターであり、各電子部品のケーブルのコネクターと嵌合する。コネクター８１２Ｃｃは、制御部１０と接続されるコネクターであり、制御部１０に接続するケーブルのコネクターと嵌合する。複数のコネクター８１２Ｃｆは、送風ファン４１，４２とそれぞれ接続されるコネクターであり、送風ファン４１，４２のケーブルのコネクターと嵌合する。
【００６９】
中継部８は、図５、図７に示すように、両面基板８１が取付側筐体５２Ａの上面部５２１に対して起立し、第２収納部５２の−Ｙ側の側面部５２２，５２４の内側に配置される。そして、中継部８は、図４に示すように、切欠き５２４２（開口部）を閉塞する。また、中継部８は、Ｙ方向において、送風ファン４１および送風ファン４１の＋Ｘ側に配置される送風ファン４２と、冷却ファン５３との間に配置され、また、両面基板８１が外装筐体２の底面２Ｄに対しても起立して配置されることとなる。
【００７０】
複数のコネクター８１１Ｃｎは、図７に示すように、Ｘ方向に沿って配設され、接続される各ケーブルのコネクターがカバー側筐体５２Ｂ側（−Ｚ側）から着脱できる向きで配置されている。
コネクター８１２Ｃｃおよび複数のコネクター８１２Ｃｆは、図５に示すように、Ｘ方向に沿って配設され、図４に示すように、カバー側筐体５２Ｂの切欠き５２４２から露出している。そして、コネクター８１２Ｃｃは、制御部１０のケーブルのコネクターが取付側筐体５２Ａ側（＋Ｚ側）から着脱できる向きで配置され、複数のコネクター８１２Ｃｆは、送風ファン４１，４２のケーブルのコネクターがカバー側筐体５２Ｂ側（−Ｚ側）から着脱できる向きで配置されている。このように、中継部８は、密閉空間１００の外側に配置される電子部品（送風ファン４１，４２）においても、制御部１０との電気的な接続を中継する。
【００７１】
また、取付側筐体５２Ａには、図７に示すように、上面部５２１の内面における中継部８近傍に、各コネクター８１１Ｃｎに対応して刻印Ｍａが表記されている。この刻印Ｍａは、各コネクター８１１Ｃｎに接続される電子部品を特定するために、電子部品に対応する文字等が表記されており、組立作業者が誤接続しないように構成されている。
また、カバー側筐体５２Ｂには、図５に示すように、底面部５２３の外面における切欠き５２４２近傍に、各コネクター８１２Ｃｃ，８１２Ｃｆに対応して刻印Ｍｂが表記されている。この刻印Ｍｂは、各コネクター８１２Ｃｃ，８１２Ｃｆに接続される電子部品を特定するために、電子部品に対応する文字等が表記されており、組立作業者が誤接続しないように構成されている。
【００７２】
弾性部材８２は、エラストマー等で形成されており、図８に示すように、枠部８２０および突起部８２１を有している。
枠部８２０は、両面基板８１の４辺が挿入されるように、内面側に溝を有し、両面基板８１の端面を含む周縁部を覆うように形成されている。また、枠部８２０は、図８（ｂ）に示すように、外面８１２側においては、周縁部に限らずコネクター８１２Ｃｃ，８１２Ｃｆ近傍まで広い領域に形成されている。
突起部８２１は、第２収納部５２内に配置される際に、上面部５２１側となる辺、および底面部５２３側となる辺に、枠部８２０から突出して形成されている。なお、弾性部材８２は、エラストマーに限らず、弾性を有し、且つ密閉空間１００の密閉性保持を可能とする他の部材、例えば、有機材料と無機材料とを組み合わせたシーリング部材等であってもよい。
【００７３】
次に、中継部８の固定構造について説明する。
図７に戻って、取付側筐体５２Ａには、−Ｙ側の側面部５２２に、中継部８を支持するための一対の支持部５２８が形成されている。また、カバー側筐体５２Ｂには、前述したように、一対の突起部５２３１が形成されている（図６参照）。
図９は、中継部８近傍の第２収納部５２の断面図である。
中継部８は、図７、図９に示すように、取付側筐体５２Ａの上面部５２１、一対の支持部５２８、および一対の突起部５２３１に支持されて第２収納部５２内に配置される。なお、図９において、一対の支持部５２８のうちの一方は図示を省略している。
【００７４】
一対の支持部５２８は、中継部８におけるＸ方向の両側端部が挿入可能で、中継部８のＸ方向における移動を規制する溝が設けられるように形成されている。具体的に、一対の支持部５２８それぞれは、側面部５２２から所定の距離離間する板状部、およびこの板状部と側面部５２２とを繋ぐ接続部を有している。
【００７５】
一対の突起部５２３１は、一対の支持部５２８に配置される中継部８の−Ｚ側を支持するように形成されている。
具体的に、各突起部５２３１は、図９に示すように、カバー側筐体５２Ｂの側面部５２４から所定の距離隔て、側面部５２４に対し、交差する方向に延出するように形成されている。また、各突起部５２３１は、側面部５２４に対向する端面５２３１ｓが底面部５２３から離れる程、側面部５２４から遠ざかるように傾斜している。
【００７６】
中継部８は、一方の突起部８２１が上面部５２１の内面に当接し、Ｘ方向の両側端部が一対の支持部５２８に挿入されて取付側筐体５２Ａに配置され、カバー側筐体５２Ｂが取付側筐体５２Ａにネジ固定されることにより、他方の突起部８２１および枠部８２０が一対の突起部５２３１の端面５２３１ｓに当接して第２収納部５２内に固定される。中継部８は、−Ｚ側の端部が傾斜する端面５２３１ｓに当接するので、−Ｚ方向の移動が規制されると共に、内側への傾倒が抑えられ、弾性部材８２が側面部５２２，５２４に密着して配置される。
このように、中継部８は、ネジ等を用いずに、取付側筐体５２Ａおよびカバー側筐体５２Ｂに挟持されて第２収納部５２に配置される。
【００７７】
本実施形態のプロジェクター１は、第２収納部５２のカバー側筐体５２Ｂが外装筐体２の底面２Ｄ側から取り外すことが可能に構成されている。
図１０は、プロジェクター１を底面２Ｄ側から見た斜視図であり、（ａ）は蓋部材２３を取り外した状態の図、（ｂ）は、（ａ）におけるＡ部の拡大図である。
外装筐体２は、図１０に示すように、底面２Ｄに内部の一部を露出させる露出用開口部２ａが設けられ、この露出用開口部２ａは、蓋部材２３によって閉塞される。蓋部材２３は、ネジにより外装筐体２の本体側に着脱可能に固定される。
【００７８】
そして、第２収納部５２は、蓋部材２３が取り外されと、カバー側筐体５２Ｂが露出用開口部２ａから露出するように配置される。換言すると、第２収納部５２は、カバー側筐体５２Ｂの底面部５２３が蓋部材２３の内面に対向して配置される。
露出用開口部２ａは、図１０（ａ）に示すように、カバー側筐体５２Ｂ、送風ファン４１，４２、ダクト部材４１１およびコネクター８１２Ｃｆが露出する大きさに形成されている。
【００７９】
この蓋部材２３が取り外された状態で、送風ファン４２のケーブルのコネクターをコネクター８１２Ｃｆから抜出すれば、送風ファン４２の取り出しが可能となり、ダクト部材４１１を取り外し、送風ファン４１のケーブルのコネクターをコネクター８１２Ｃｆから抜出すれば、送風ファン４１の取り出しが可能となる。
このように、プロジェクター１は、蓋部材２３が取り外されることで、密閉空間１００の外側に配置される送風ファン４１，４２の取り外しが可能に構成されている。
【００８０】
図１１は、プロジェクター１を底面２Ｄ側から見た斜視図であり、（ａ）は蓋部材２３およびカバー側筐体５２Ｂを取り外した状態の図、（ｂ）は、（ａ）におけるＢ部の拡大図である。
図１１に示すように、プロジェクター１は、蓋部材２３が取り外された上、カバー側筐体５２Ｂが取り外されると、ダクト部材５４、および第２収納部５２内に配置される複数の電子部品が露出する。また、図１１には図示されないが、カバー側筐体５２Ｂが取り外されると、複数のコネクター８１１Ｃｎ（図９参照）も露出するので、これらの電子部品の取り外しが可能となる。
【００８１】
以上説明したように、本実施形態によれば、以下の効果を得ることができる。
（１）循環冷却装置５は、中継部８を利用して密閉空間１００を形成する構成なので、ケーブルが密閉空間１００の内側から外側に亘って配線される構成に比べ、ケーブルの挿通孔とケーブルとの隙間を埋める部材が不要になることや、ケーブルの配線処理等の簡素化が可能となる。よって、プロジェクター１は、容易な製造が可能な循環冷却装置５を備え、外部の塵埃が密閉空間１００内の冷却対象に付着することを防止して冷却対象を冷却することが可能となる。
また、中継部８は、両面基板８１の内面８１１にコネクター８１１Ｃｎが設けられ、外面８１２にコネクター８１２Ｃｃ，８１２Ｃｆが設けられて制御部１０と接続されている。これによって、制御部１０が露出するまでプロジェクター１を分解することなく、内面のコネクター８１１Ｃｎが露出するように分解することで、第２収納部５２に配置された冷却ファン５３、循環ファン５６および温度検出部５７を容易に取り出すことができる。よって、冷却ファン５３、循環ファン５６および温度検出部５７の修理や交換作業の簡素化が可能となる。
【００８２】
（２）中継部８は、弾性部材８２を備えるので、両面基板８１が製造時の切断加工等により端面からゴミが発生しやすくなるように加工された場合であっても、弾性部材８２がこの端面を覆うので、中継部８からのゴミの発生を防止することが可能となる。また、弾性部材８２が第２収納部５２に密着するので、第２収納部５２の切欠き５２４２（開口部）を確実に閉塞し、密閉空間１００を確実に形成することが可能となる。
【００８３】
（３）循環冷却装置５は、循環ファン５６を備えるので、第２収納部５２内に積極的に冷却気体が供給され、冷却対象のより効率的な冷却が可能となる。
【００８４】
（４）両面基板８１を利用して、密閉空間１００の外側に配置された送風ファン４１，４２を制御部１０と電気的に接続しているので、これらの電子部品においても、修理や交換を容易に行うことが可能となる。
また、蓋部材２３を取り外せば、送風ファン４１，４２の取り外しが可能なので、これらの電子部品の修理や交換をさらに容易に行うことが可能となる。
【００８５】
（５）密閉筐体は、第１収納部５１と、第２収納部５２と、で構成されている。これによって、冷却対象と冷却ファン５３とが離れた位置に配置されるように構成されても、密閉筐体の大型化を抑制して密閉筐体を容易に形成することが可能となる。よって、冷却ファン５３の配置位置の自由度を高めることや、大型化を抑制して循環冷却装置５を構成することが可能となる。
【００８６】
（６）中継部８は、取付側筐体５２Ａとカバー側筐体５２Ｂとに挟持されて第２収納部５２に配置される。これによって、ネジ等の固定部材を用いることなく、中継部８を所定の位置に配置することができる。よって、部品点数の増加の抑制や、中継部８および第２収納部５２の小型化が可能となる。
【００８７】
（７）蓋部材２３が取り外されると、カバー側筐体５２Ｂが露出するように構成されているので、ユーザーは、カバー側筐体５２Ｂを取り外すことで、第２収納部５２内に配置される電子部品、およびコネクター８１１Ｃｎを露出させ、容易にこの電子部品の修理や交換作業を行うことができる。
【００８８】
（８）両面基板８１が外装筐体の底面２Ｄに対して起立するように配置されるので、第２収納部のこの底面２Ｄに沿う方向の大型化を抑制できると共に、中継部８を配置する位置の自由度が向上する。
【００８９】
（変形例）
なお、前記実施形態は、以下のように変更してもよい。
前記実施形態の中継部８は、取付側筐体５２Ａの上面部５２１に対して両面基板８１が起立し、取付側筐体５２Ａとカバー側筐体５２Ｂとに挟持されて配置されているが、他の態様であってもよい。例えば、取付側筐体５２Ａの上面部５２１に開口部を設け、この開口部を閉塞するように中継部を形成し、この中継部を上面部５２１にネジ固定する態様も可能である。
【００９０】
前記実施形態のプロジェクター１は、露出用開口部２ａが底面２Ｄに設けられ、この露出用開口部２ａから第２収納部５２内の電子部品が交換可能に構成されているが、他の面、例えば、後面２Ｂや側面２Ｒ，２Ｌに露出用開口部を形成し、この露出用開口部から密閉空間に配置される電子部品を交換可能とするようにプロジェクターを構成してもよい。
【００９１】
前記実施形態のプロジェクター１は、底面２Ｄの一部に露出用開口部２ａが設けられ、この露出用開口部２ａが蓋部材２３によって閉塞されるように構成されている。すなわち、前記実施形態のプロジェクター１は、蓋部材２３が底面２Ｄの一部を形成するように構成されているが、蓋部材２３が底面２Ｄ全体を形成する態様であってもよい。
【００９２】
前記実施形態における蓋部材２３とカバー側筐体５２Ｂ（いずれも図１１参照）とを一体化した構成であってもよい。
図１２は、変形例のプロジェクター９を説明するための図である。プロジェクター９は、図１２に示すように、複数の冷却ファン１５３、第２収納部１５２、中継部１８、および蓋体１２３を備えている。プロジェクター９の外装筐体９０の底面９０Ｄには、内部の一部を露出させる露出用開口部９１が設けられている。蓋体１２３は、露出用開口部９１を閉塞する。第２収納部１５２は、取付側筐体１５２Ａおよびカバー側筐体１５２Ｂを有し、カバー側筐体１５２Ｂは、蓋体１２３と一体化されている。第２収納部１５２は、取付側筐体１５２Ａの内部が露出用開口部９１から露出するように配置されている。
図１３は、プロジェクター９の内面側となる方向から見た蓋体１２３の斜視図である。蓋体１２３は、図１３に示すように、カバー側筐体１５２Ｂが内面側に設けられており、ネジにより外装筐体９０の本体側に取り付けられると、取付側筐体１５２Ａとカバー側筐体１５２Ｂとが嵌合する。また、中継部１８は、取付側筐体１５２Ａとカバー側筐体１５２Ｂとに挟持される。
この変形例の構成によれば、部品点数を削減して第２収納部１５２の形成および中継部１８の固定が可能となる。また、ユーザーは、蓋体１２３を取り外すことで、取付側筐体１５２Ａ内の冷却ファン１５３や、両面基板１８１の内面側に配置される接続部材を露出させることができるので、冷却ファン１５３等の修理や交換作業のさらなる簡素化が可能となる。
また、図示は省略するが、蓋体１２３が外装筐体９０の底面９０Ｄ全体を形成する態様であってもよい。
【００９３】
前記実施形態の循環冷却装置５は、３つの冷却ファン５３Ｒ，５３Ｇ，５３Ｂを備えているが、これ以外の数の冷却ファンを備える構成であってもよい。
また、前記実施形態では、３つの冷却対象（光変調装置３４１Ｒ，３４１Ｇ，３４１Ｂ）と同数の冷却ファン５３Ｒ，５３Ｇ，５３Ｂを備えているが、冷却対象の数と冷却ファンの数とが異なる構成であってもよい。
【００９４】
前記実施形態の循環冷却装置５は、２つの循環ファン５６１，５６２を備えているが、これ以外の数の循環ファンを備える構成であってもよく、また、循環ファンを備えない構成であってもよい。
【００９５】
前記実施形態の循環ファン５６１，５６２および冷却ファン５３Ｒ，５３Ｇ，５３Ｂは、それぞれの回転中心軸５６ｊ，５３ｊが同一方向に沿うように配置されているが、異なる方向に沿うように配置される形態であってもよい。例えば、循環ファンの回転中心軸と冷却ファン回転中心軸とが異なる方向に沿うように、循環ファンと冷却ファンとが配置されるように構成してもよく、図１２に示すように、複数の冷却ファン１５３において、互いの回転中心軸が異なる方向に沿うように配置される冷却ファン１５３を有する態様であってもよい。
【００９６】
前記実施形態の中継部８は、冷却ファン５３等の電子部品と制御部１０との電気的接続を中継するように構成されているが、光変調装置３４１と制御部１０との電気的接続を中継する構成にも適用できる。すなわち、光変調装置３４１のフレキシブル回路基板と制御部１０とを電気的に接続する中継基板、および弾性部材を備える中継部を構成し、この中継部が密閉構造の一部を形成する構成も可能である。
【００９７】
前記実施形態では、両面基板８１の一方の面（内面８１１）が密閉空間１００側となり、他方の面（外面８１２）が密閉空間１００の外側となるように構成されているが、両面基板（中継基板）が密閉筐体に挿通され、中継基板の両面を含む一部が密閉空間１００の外側に配置されるような構成であってもよい。すなわち、密閉筐体の中継基板が挿通される孔と中継基板との間に弾性部材を配置し、密閉空間１００を構成することも可能である。この構成においては、中継基板の密閉空間１００内に位置する部位には、密閉空間１００内の冷却ファン５３等が接続され、中継基板の密閉空間１００外に位置する部位には、制御部１０が接続される。また、この構成は、光変調装置３４１のフレキシブル回路基板と制御部１０とを電気的に接続する中継基板を用いた構成にも適用可能である。
【００９８】
前記実施形態では、光変調装置３４１を冷却対象としているが、光変調装置３４１に限らず他の部材、例えば、偏光変換素子３２５を冷却対象としてもよい。また、光学ユニット３が位相差板や、光の位相のずれを補償する補償素子等を備える構成とし、この位相差板や補償素子等を冷却対象として構成してもよい。
【００９９】
前記実施形態の第２収納部５２において、中継部８以外の取付側筐体５２Ａとカバー側筐体５２Ｂとが係合する部位の間にクッション材を介在させるように構成してもよい。
【０１００】
前記実施形態のプロジェクター１は、光変調装置として透過型の液晶パネルを用いているが、反射型の液晶パネルを利用したものであってもよい。
また、前記実施形態の光変調装置３４１は、Ｒ光、Ｇ光、およびＢ光に対応する３つの光変調装置３４１Ｒ，３４１Ｇ，３４１Ｂを用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【０１０１】
前記実施形態のプロジェクター１は、２つの光源装置３１Ａ，３１Ｂを備えているが、これに限らず、１つあるいは３つ以上の光源装置を備えるように構成してもよい。また、光源装置は、放電型の光源３１１を用いたものに限らず、その他の方式の光源や発光ダイオード、レーザー等の固体光源を用いたものであってもよい。
【符号の説明】
【０１０２】
１，９…プロジェクター、２，９０…外装筐体、２Ｄ，９０Ｄ…底面、２ａ，９１…露出用開口部、３…光学ユニット、４…冷却装置、５…循環冷却装置、６…放熱装置、８，１８…中継部、１０…制御部、２３…蓋部材、３１…照明装置、３１Ａ，３１Ｂ…光源装置、３４…光学装置、３５…投写レンズ、４１，４２…送風ファン（電子部品）、５１…第１収納部（密閉筐体）、５２，１５２…第２収納部（密閉筐体）、５２Ａ，１５２Ａ…取付側筐体、５２Ｂ，１５２Ｂ…カバー側筐体、５３，５３Ｂ，５３Ｇ，５３Ｒ，１５３…冷却ファン、５５…吸熱部、５６，５６１，５６２…循環ファン、５７…温度検出部、８１，１８１…両面基板、８２…弾性部材、１００…密閉空間、１２３…蓋体、３１１…光源、３４１，３４１Ｂ，３４１Ｇ，３４１Ｒ…光変調装置（冷却対象）、８１１…内面、８１１Ｃｎ，８１２Ｃｃ，８１２Ｃｆ…コネクター（接続部材）、８１２…外面、５２４２…切欠き（開口部）。
【図１】
2020077003.tif 000003
【図２】
2020077003.tif 000004
【図３】
2020077003.tif 000005
【図４】
2020077003.tif 000006
【図５】
2020077003.tif 000007
【図６】
2020077003.tif 000008
【図７】
2020077003.tif 000009
【図８】
2020077003.tif 000010
【図９】
2020077003.tif 000011
【図１０】
2020077003.tif 000012
【図１１】
2020077003.tif 000013
【図１２】
2020077003.tif 000014
【図１３】
2020077003.tif 000015
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
画像を投写するプロジェクターであって、
光を射出する光源と、
前記光源から射出された光を画像情報に応じて変調する光変調装置と、
冷却対象を収納する密閉筐体を有し、前記密閉筐体内に冷却気体を循環させることにより前記冷却対象を冷却する循環冷却装置と、
前記循環冷却装置の外側に配置され、前記プロジェクターを制御する制御部と、
を備え、
前記循環冷却装置は、
前記密閉筐体内に配置され、前記冷却気体を前記冷却対象に送風する冷却ファンと、
前記冷却対象を冷却した前記冷却気体の熱を吸熱する吸熱部と、
前記密閉筐体とともに密閉空間を形成し、前記密閉筐体の内部と外部との間で前記冷却ファンと前記制御部との電気的接続を中継する中継部と、
を有し、
前記中継部は、両面基板を有し、
前記両面基板は、前記密閉空間の内部に位置する第１面に形成された配線パターンに実装され前記冷却ファンと電気的に接続される第１接続部材と、前記密閉空間の外側に位置する第２面に形成された配線パターンに実装され前記制御部と電気的に接続される第２接続部材と、を有することを特徴とするプロジェクター。
【請求項２】
請求項１に記載のプロジェクターであって、
前記中継部は、前記両面基板の端面を覆い、前記密閉筐体に密着して配置される弾性部材を有することを特徴とするプロジェクター。
【請求項３】
請求項１または２に記載のプロジェクターであって、
前記循環冷却装置は、前記密閉筐体内に配置され、前記吸熱部によって吸熱された前記冷却気体を前記密閉筐体内に循環させる循環ファンを有し、
前記両面基板は、前記第１面に前記循環ファンと電気的に接続される第３接続部材を有し、前記循環ファンと前記制御部との電気的接続を中継することを特徴とするプロジェクター。
【請求項４】
請求項１から３のいずれか一項に記載のプロジェクターであって、
前記密閉空間の外部に配置される電子部品をさらに備え、
前記両面基板は、前記第２面に前記電子部品と電気的に接続される第４接続部材を有し、前記制御部と前記電子部品とを電気的に中継することを特徴とするプロジェクター。
【請求項５】
請求項１から４のいずれか一項に記載のプロジェクターであって、
前記密閉筐体は、前記冷却対象を収納する第１収納部と、前記冷却ファンを収納し、前記中継部により閉塞される開口部を有する第２収納部と、で構成されることを特徴とするプロジェクター。
【請求項６】
請求項５に記載のプロジェクターであって、
前記第２収納部は、前記冷却ファンが取り付けられる取付側筐体と、前記取付側筐体とで前記冷却ファンを収納し、前記取付側筐体に着脱可能に取り付けられるカバー側筐体と、を有し、
前記中継部は、前記取付側筐体と前記カバー側筐体とに挟持されて前記第２収納部の前記開口部に配置されることを特徴とするプロジェクター。
【請求項７】
請求項６に記載のプロジェクターであって、
外装を構成する外装筐体をさらに備え、
前記外装筐体は、前記外装筐体の内部の一部を露出させる露出用開口部と、前記露出用開口部を閉塞する蓋部材と、を有し、
前記第２収納部は、前記蓋部材が取り外されることで、前記カバー側筐体が前記露出用開口部から露出するように配置されていることを特徴とするプロジェクター。
【請求項８】
請求項６に記載のプロジェクターであって、
外装を構成する外装筐体をさらに備え、
前記外装筐体は、前記外装筐体の内部の一部を露出させる露出用開口部と、前記カバー側筐体と一体化され、前記露出用開口部を閉塞する蓋体と、を有し、
前記第２収納部は、前記蓋体が取り外されることで、前記取付側筐体の内部が前記露出用開口部から露出するように配置されていることを特徴とするプロジェクター。
【請求項９】
請求項１から８のいずれか一項に記載のプロジェクターであって、
前記冷却対象は、前記光変調装置であることを特徴とするプロジェクター。